(57)【要約】【課題】キャップを外した後、インナーシールの周囲部を残して中央部分を容易に切り取ることができる容器開口部の封止構造を提供する。【解決手段】本発明の容器開口部の封止構造は、キャップの内側に設けられる押圧板と、外側層と内側層の少なくとも２層からなり、開口部を覆うように容器の頂部に熱融着され、押圧板で押さえ込まれるインナーシールと、インナーシールの内側層に設けられ、インナーシールの周囲を残して開口部の内側が切り取られるように誘導する開封溝と、開封溝に埋め込まれ、開封溝にしたがって外側層を破って、インナーシールを切り取る開封糸と、を備える。【選択図】図１
2017141036.tif 000002
【特許請求の範囲】
【請求項１】
キャップの内側に設けられる押圧板と、
外側層と内側層の２層からなり、開口部を覆うように容器の頂部に熱融着され、前記押圧板で押さえ込まれるインナーシールと、
前記インナーシールの内側層に設けられ、前記インナーシールの周囲を残して前記開口部の内側が切り取られるように誘導する開封溝と、
前記開封溝に埋め込まれ、前記開封溝にしたがって前記外側層を破って、前記インナーシールを切り取る開封糸と、が備えられることを特徴とする容器開口部の封止構造。
【請求項２】
前記開封糸は、一端が前記インナーシールを貫通して表側に突き出ており、他端が前記インナーシールの前記開封溝で囲まれる領域に固定されることを特徴とする請求項１に記載の容器開口部の封止構造。
【請求項３】
前記開封糸の一端にタグが設けられることを特徴とする請求項２に記載の容器開口部の封止構造。
【請求項４】
前記開封溝は、第一開封溝（３ａ）と第二開封溝（３ｂ）からなり、前記開封糸は、一端が前記インナーシールの第二開封溝（３ｂ）で囲まれる領域に固定され、他端が前記インナーシールの第一開封溝（３ａ）で囲まれる領域に固定されることを特徴とする請求項１に記載の容器開口部の封止構造。
【発明の詳細な説明】
【技術分野】
【０００１】
本発明は、容器開口部の封止構造に係り、より詳しくは、インナーシールの周囲を残して容易に切り取ることができる容器開口部の封止構造に関する。
【背景技術】
【０００２】
インスタントコーヒー粉末を収納した瓶の容器には、開口部を封止するインナーシールが設けられている。インナーシールは、指で押すと簡単に破れるので、指先程度の小さな穴はあけやすい。大きな瓶の場合、スプーンなどを入れるため、インナーシールの周囲を残して中央部分を丸く大きく除去したいところ瓶頂部の平坦部は、インナーシールが強く接着しているので、この部分を残して丸く円形に破り取ることが難しい。破り取る際に、瓶頂部の平坦部のインナーシールを一部除去してしまうと、平坦部に凸凹ができて、キャップを再装着した時、瓶内部に湿気が入りやすい。周囲を残してきれいに穴をあけるには、例えばナイフを立てて回すなどするが、切り取りに手間がかかる。
【０００３】
特許文献１には、インナーシールに振出し口を設け、これを密封シールで覆い、密封シールの舌片を引っ張ることで、振出し口をあけることが開示されている。この場合、振り出し口にはスプーンなどは挿入できない。また、密封シールを剥がすと、瓶頂部の部分に隙間ができ湿気が入りやすい。特許文献２には、インナーシールに半径が開口部の大きさと略等しい円形の切り離し線を入れ、蓋を取ると、一緒にインナーシールが大きくはがれる。切り離し線は、瓶の頂部の平坦部をそのまま残すように設けられるので、インナーシールの中央部を取り除いても密封度が低下しない。しかしながら、キャップを開けるとインナーシールが切り離されるので、キャップを開けてもインナーシールを開かない構成ではない。
【先行技術文献】
【特許文献】
【０００４】
【特許文献１】特開２０００−３５５３５１号公報
【特許文献２】特開２０１３−１９９３２４号公報
【発明の概要】
【発明が解決しようとする課題】
【０００５】
本発明の目的は、キャップを外した後、インナーシールの周囲部を残して中央部分を容易に切り取ることができる容器開口部の封止構造を提供することにある。
【課題を解決するための手段】
【０００６】
本発明による容器開口部の封止構造は、キャップの内側に設けられる押圧板と、外側層と内側層の少なくとも２層からなり、開口部を覆うように容器の頂部に熱融着され、前記押圧板で押さえ込まれるインナーシールと、前記インナーシールの内側層に設けられ、前記インナーシールの周囲を残して前記開口部の内側が切り取られるように誘導する開封溝と、前記開封溝に埋め込まれ、前記開封溝にしたがって前記外側層を破って、前記インナーシールを切り取る開封糸と、が備えられることを特徴とする。
【０００７】
前記開封糸は、一端が前記インナーシールを貫通して表側に突き出ており、他端が前記インナーシールの前記開封溝で囲まれる領域に固定されることを特徴とする。
【０００８】
前記開封糸の一端にタグが設けられることを特徴とする。
【０００９】
前記開封溝は、第一開封溝（３ａ）と第二開封溝（３ｂ）からなり、前記開封糸は、一端が前記インナーシールの第二開封溝（３ｂ）で囲まれる領域に固定され、他端が前記インナーシールの第一開封溝（３ａ）で囲まれる領域に固定されることを特徴とする。
【発明の効果】
【００１０】
本発明の容器開口部の封止構造によれば、インナーシールの周囲を残して開口部の内側が切り取られるように誘導する開封溝と、インナーシールを開封溝にしたがって切り取る開封糸とを設けたので、キャップを取り外した後、開封糸で容易にインナーシールを切り取ることができる。また、インナーシールの周囲を残しており、インナーシール上面には凹凸ができないので、開封後も押圧板で押圧されることにより良好に密封できる。
【００１１】
開封糸は、一端がインナーシールを貫通して表側に突き出ており、他端がインナーシールの開封溝で囲まれる領域に固定されるので、開封糸の一端をつかんで引っ張り、開封溝に沿ってインナーシールを切り取ることができる。開封糸は、開口部の頂部を横切るものではないので、開封後も押圧板でインナーシールが押圧され良好に密封できる。
【００１２】
開封糸の一端にタグを設けたので、つかみやすくまた引っ張りやすい。
【００１３】
第一開封溝と第二開封溝からなる開封溝を設け、第二開封溝を指で押して開口すると、第二開封溝の部分がタグになるので、開封糸を引っ張り、インナーシールを切り取ることができる。また、開封糸は、一端がインナーシールの第二開封溝で囲まれる領域に固定され、他端がインナーシールの第一開封溝で囲まれる領域に固定されるので、開封糸を表側に突き出させる必要がない。これによれば、開封後も押圧板でシールが押圧され良好に密封できる。
【図面の簡単な説明】
【００１４】
【図１】本発明による容器開口部の封止構造を備える容器の斜視図である。（実施例１）
【図２】開封糸によってインナーシールを切り取る説明図である。
【図３】インナーシールを備える容器の断面図である。
【図４】本発明による容器開口部の封止構造を備える容器の斜視図である。（実施例２）
【図５】図４のインナーシールの裏側を示す平面図である。
【図６】開封糸でインナーシールを切り取る説明図（１／２）である。
【図７】開封糸でインナーシールを切り取る説明図（２／２）である。
【図８】インナーシールを切り取り後、再度キャップを装着した場合の容器の断面図である。
【発明を実施するための形態】
【００１５】
以下、図面を参照して、本発明による容器開口部の封止構造を詳しく説明する。
【実施例１】
【００１６】
図１は、本発明による容器開口部の封止構造１００を備える容器４の斜視図である。容器４は、一例としてガラス製でプラスチックのキャップ１が冠着され、開口部８にはインナーシール７が取り付けられる。インナーシール７は、容器４の頂部９に熱で接合される。インナーシール７は、容器４の開口部８を封止している。キャップ１の内側には押圧板２が設けられる。押圧板２は、容器４にキャップ１が冠着された時、容器４の頂部９のインナーシール７を押圧し、インナーシール７が開封された後は、内蓋として機能する。インナーシール７の周囲を残して開口部８の内側が切り取られるように開封糸５が設けられる。図１の引き出し円の中に示すように、開封糸５を引っ張り上げてインナーシール７を破るように切り取る。開封糸５は、一端がインナーシール７を貫通して表側に突き出ている。開封糸５の一端にはタグ６が設けられ、開封糸５をつかみやすくしている。
【００１７】
図２は、開封糸５によってインナーシール７を切り取る説明図である。タグ６をつかみ、開封糸５を引っ張り上げてインナーシール７を切り取る。開封糸５はインナーシール７の裏側に固定されている。インナーシール７の周囲を残して開口部８の内側を切り取ると、図２の右側に示すように、容器４の上部が開口する。
【００１８】
図３は、インナーシール７を備える容器４の断面図である。インナーシール７を切り取る前の状態を示している。インナーシール７が容器４の開口部８を覆うように取り付けられ、頂部９に熱融着され、開口部８を封止している。インナーシール７は、少なくとも表側層７ａと内側層７ｂからなる。例えば表側層７ａはアルミ層、内側層７ｂは樹脂層にできる。内側層７ｂには開封溝３が設けられ、開封糸５が埋め込まれる。開封溝３の幅は、開封糸５が押し込める幅である。また、開封糸５を数ｃｍ間隔の点で開封溝３に固定し、開封溝３から容易に外れないようにしている。開封糸５の材質をインナーシール７の内側層７ｂの材質と同じ樹脂とし、数ｃｍ間隔の点で切り離し可能に接合することでもよい。キャップ１を装着した状態では、インナーシール７は、押圧板２で頂部９に押さえ付けられる。開封糸５のタグ６は、インナーシール７の表側の中央付近に置かれるが、厚さがなく密封の妨げにはならない。
【実施例２】
【００１９】
図４は、本発明による容器開口部の封止構造１００を備える容器４の斜視図である。容器４には、キャップ１が冠着され、開口部８にはインナーシール７が取り付けられる。インナーシール７は、容器４の頂部９に熱で接合され、容器４の開口部８を封止している。キャップ１の内側には押圧板２が設けられ、容器４にキャップ１が冠着された時、インナーシール７を押圧する。インナーシール７の周囲を残して開口部８の内側が切り取られるよう開封溝３は、第一開封溝３ａと第二開封溝３ｂからなる。実施例２では、第二開封溝３ｂを指で押し、切り離すとタグ６になる構成としている。
【００２０】
図５は、図４のインナーシール７の裏側を示す平面図である。開封糸５は、一端が第二開封溝３ｂの内側の領域に固定される。他端が第一開封溝３ａの内側の領域に固定される。開封溝３は、インナーシール７の裏側にあって、表側から見えないので、その位置がわかるように表側に刻印がある。
【００２１】
図６は、開封糸５でインナーシール７を切り取る説明図（１／２）である。まず、第二開封溝３ｂを指で押し、切り離してタグ６を作る。タグ６が開封糸５でつながれている形になる。
【００２２】
図７は、開封糸５でインナーシール７を切り取る説明図（２／２）である。タグ６をつかみ、開封糸５を引っ張り上げてインナーシール７を切り取る。インナーシール７の周囲を残して開口部８の内側を切り取ると、図２の右側に示すように容器４の上部が開口する。
【００２３】
図８は、インナーシール７を切り取り後、再度キャップを装着した場合の容器の断面図である。実施例１と実施例２で共通である。容器４の頂部の平坦部にはインナーシール７が残っており、また、この部分には凹凸がないので、開封後も良好に密封できる。
【産業上の利用可能性】
【００２４】
本発明は、開封後も密封性を維持できるように容器のインナーシールを開封できるので、容器開口部の封止構造として好適である。
【符号の説明】
【００２５】
１    キャップ
２    押圧板
３    開封溝
３ａ    第一開封溝
３ｂ    第二開封溝
４    容器
５    開封糸
６    タグ
７    インナーシール
７ａ    表側層
７ｂ    内側層
８    開口部
９    頂部
１００    容器開口部の封止構造
【図１】
2017141036.tif 000003
【図２】
2017141036.tif 000004
【図３】
2017141036.tif 000005
【図４】
2017141036.tif 000006
【図５】
2017141036.tif 000007
【図６】
2017141036.tif 000008
【図７】
2017141036.tif 000009
【図８】
2017141036.tif 000010
【手続補正書】
【提出日】平成29年1月17日(2017.1.17)
【手続補正１】
【補正対象書類名】特許請求の範囲
【補正対象項目名】全文
【補正方法】変更
【補正の内容】
【特許請求の範囲】
【請求項１】
キャップの内側に設けられる押圧板と、
外側層と内側層の２層からなり、開口部を覆うように容器の頂部に熱融着され、前記押圧板で押さえ込まれるインナーシールと、
前記インナーシールの内側層に設けられ、前記インナーシールの周囲を残して前記開口部の内側が切り取られるように誘導する開封溝と、
前記開封溝に埋め込まれ、前記開封溝にしたがって前記外側層を破って、前記インナーシールを切り取る開封糸と、が備えられ、
前記開封糸は、一端が前記インナーシールを貫通して表側に突き出ており、他端が前記インナーシールの前記開封溝で囲まれる領域に固定され、前記表側に突き出した開封糸の一端にタグが設けられ、前記タグは前記インナーシールの上に載置されることを特徴とする容器開部の封止構造。
【請求項２】
キャップの内側に設けられる押圧板と、
外側層と内側層の２層からなり、開口部を覆うように容器の頂部に熱融着され、前記押圧板で押さえ込まれるインナーシールと、
前記インナーシールの内側層に設けられ、前記インナーシールの周囲を残して前記開口部の内側が切り取られるように誘導する開封溝と、
前記開封溝に埋め込まれ、前記開封溝にしたがって前記外側層を破って、前記インナーシールを切り取る開封糸と、が備えられ、
前記開封溝は、第一開封溝（３ａ）と第二開封溝（３ｂ）からなり、前記開封糸は、一端が前記インナーシールの第二開封溝（３ｂ）で囲まれる領域に固定され、他端が前記インナーシールの第一開封溝（３ａ）で囲まれる領域に固定されることを特徴とする容器開部の封止構造。
【手続補正２】
【補正対象書類名】明細書
【補正対象項目名】０００６
【補正方法】変更
【補正の内容】
【０００６】
本発明による容器開部の封止構造は、キャップの内側に設けられる押圧板と、外側層と内側層の２層からなり、開口部を覆うように容器の頂部に熱融着され、前記押圧板で押さえ込まれるインナーシールと、前記インナーシールの内側層に設けられ、前記インナーシールの周囲を残して前記開口部の内側が切り取られるように誘導する開封溝と、前記開封溝に埋め込まれ、前記開封溝にしたがって前記外側層を破って、前記インナーシールを切り取る開封糸と、が備えられ、前記開封糸は、一端が前記インナーシールを貫通して表側に突き出ており、他端が前記インナーシールの前記開封溝で囲まれる領域に固定され、前記表側に突き出した開封糸の一端にタグが設けられ、前記タグは前記インナーシールの上に載置されることを特徴とする。
【手続補正３】
【補正対象書類名】明細書
【補正対象項目名】０００７
【補正方法】変更
【補正の内容】
【０００７】
本発明による他の容器開部の封止構造は、キャップの内側に設けられる押圧板と、外側層と内側層の２層からなり、開口部を覆うように容器の頂部に熱融着され、前記押圧板で押さえ込まれるインナーシールと、前記インナーシールの内側層に設けられ、前記インナーシールの周囲を残して前記開口部の内側が切り取られるように誘導する開封溝と、前記開封溝に埋め込まれ、前記開封溝にしたがって前記外側層を破って、前記インナーシールを切り取る開封糸と、が備えられ、
前記開封溝は、第一開封溝（３ａ）と第二開封溝（３ｂ）からなり、前記開封糸は、一端が前記インナーシールの第二開封溝（３ｂ）で囲まれる領域に固定され、他端が前記インナーシールの第一開封溝（３ａ）で囲まれる領域に固定されることを特徴とする。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】